(57)【特許請求の範囲】
【請求項１】
磁気カードによるロック装置であって、周縁スロットを有するカバーを有するロックハウジングを備え、この周縁スロットに、ロック装置のロックを作動したり、解除するために、磁気カードを挿入するようになっており、前記ロックハウジングが、静止開始位置とロック解除位置との間で、中心軸の回りに、障害なく回転するように取り付けられており、前記カバーとともに回転し、前記軸から半径方向に離隔した錘を備え、前記カバーを、重力の作用により、静止開始位置の方向へ押圧するようになっている、磁気カードによるロック装置。
【請求項２】
錘の位置を変えることにより、周縁スロットを、上、下、左右若しくは他のどんな位置にも向くようにした請求項１のロック装置。
【請求項３】
カバーとともに回転するように取り付けられ、かつ錘が取り付けられている取付板を備える、請求項１のロック装置。
【請求項４】
錘が、取付板に取り外し可能に取り付けられている、請求項３のロック装置。
【請求項５】
取付板が複数の取付手段を有し、取付板を周縁スロットに対し、異なる半径方向の位置に取り付け、それにより、それぞれ静止開始位置を変えるようにした、請求項４のロック装置。
【請求項６】
ロックが解除される際には周縁スロットに磁気カードを保持するカードロック機構を有し、このカードロック機構は、滑動しうるロックアクチュエータを有し、このロックアクチュエータは、ロック装置が解除されるにつれ、周縁スロットに挿入されたカードの方向へ軸方向に動き、ロック装置が解除される間、カードを周縁スロットに係合し保持する、請求項１のロック装置。
【請求項７】
カードロック機構は、不動の本体を有し、この不動の本体は、中心軸に平行に延びる長手方向の通路を有し、この通路の内部において、固定されたピンが、滑動しうるロックアクチュエータの周囲に設けられた周縁螺旋溝に延び、カバーの回転により、不動の本体内で滑動しうるロックアクチュエータが回転するにつれ、滑動しうるロックアクチュエータが軸方向に動くようになっており、カバーは、周縁スロット内に挿入された正しくコード化された磁気カードを有し、不動の本体は、滑動しうるロックアクチュエータの動きに対して固定されている、請求項６のロック装置。
【請求項８】
ドアロックのスピンドルに適するように設けられたスピンドルアダプタと、スピンドルアダプタに取り付けられるハンドルとを備える、請求項１のロック装置。
【請求項９】
スピンドルアダプタが、軸方向に配置され、異なるラッチ機構の様々な寸法のスピンドルに適合する、請求項８のロック装置。
【請求項１０】
周縁スロットが、錘を選択的に位置決めすることにより、所望の静止開始位置に設定されるようになっている、請求項８のロック装置。
【請求項１１】
ロックハウジングが、ハンドル内で障害なく回転し、ハンドルが、スピンドルに取り付けられるようになっており、所望の周縁スロットの配向を保持している間、スピンドルは、錘の位置を変えることなく左または右を指す、請求項８のロック装置。
【請求項１２】
ロック装置であって、周縁スロットを有する回転自在カバーを備え、このスロットに、磁気カードを挿入して、ロック装置をロックしたり、ロック解除したりするようになっており、カバーとロックコアが、静止開始位置とロック解除位置との間で、中心軸回りに回転するように取り付けられ、更に、ロック装置は、ロック装置がロック解除される際には、周縁スロットに磁気カードを保持するカードロック機構を備え、このカードロック機構は、カードロックピンを備え、カードロックピンは、ロック装置がロック解除されるにつれ、周縁スロットに挿入された磁気カードに向かって軸方向に動き、ロック装置がロック解除されている間、周縁スロットに磁気カードを保持するようになっている、ロック装置。
【請求項１３】
カードロック機構が、長手方向に通路を有する不動の柱状の本体を備え、この通路を介して、固定されたピンが、滑動しうるロックアクチュエータの周囲に設けられた周縁螺旋溝に半径方向に延び、カバーの回転により、不動の本体内で不動の本体に対して滑動しうるロックアクチュエータが回転するにつれ、滑動しうるロックアクチュエータが軸方向に動くようになっており、カバーは、周縁スロット内に挿入された正確にコード化された磁気カードを有している、請求項１２のロック装置。
【請求項１４】
カードロック機構が、不動の柱状の本体を備え、この不動の柱状の本体が、螺旋溝を有するスリーブが内部に配置される長手方向の通路を備え、カードロックピンが、Ｌ字形状であり、周縁螺旋溝内を直角に延びる尖端部を備え、カバーの回転により、テイルピース・アクチュエータが不動の本体内を回転するにつれ、カードロックピンが軸方向に動くようになっており、カバーは、周縁スロット内に挿入された正確にコード化された磁気カードを有している、請求項１２のロック装置。
【請求項１５】
カードロックピンがテイルピース・アクチュエータの中を通り、テイルピース・アクチュエータは不動の柱状の本体に受容され、テイルピース・アクチュエータが、不動の柱状の本体内に、不動の柱状の本体に対して回転可能に長手方向に保持されている、請求項１４のロック装置。
【請求項１６】
フィンガを有し、不動の柱状の本体の長手方向の通路に設けられたテイルピース・ドライバを備え、フィンガは、テイルピース・アクチュエータと係合するようになっている、請求項１５のロック装置。
【請求項１７】
テイルピース・アクチュエータとテイルピース・ドライバのフィンガとの間に、自由に動く相互作用がある、請求項１６のロック装置。
【請求項１８】
不動の柱状の本体内に固定されたスリーブを備え、スリーブは、螺旋溝を有する、請求項１５のロック装置。
【請求項１９】
ドアのラッチ機構のスピンドルに適するように設けられたスピンドルアダプタと、スピンドルアダプタに設けられたハンドルを備える、請求項１２のロック装置。
【請求項２０】
スピンドルアダプタが、軸方向に配置され、様々なラッチ機構の寸法に適するように設けられている、請求項１９の磁気カードによるロック装置。
【請求項２１】
周縁スロットが、錘を選択的に位置決めすることにより、所望の開始静止位置にセットしうる、請求項１３のロック装置。
【請求項２２】
請求項１〜２１のいずれかのロック装置に使用されるようにコード化された磁気カードであって、磁気カードは、少なくとも１個の凹みを有し、この凹みは突出し、挿入に際して、周縁スロットと係合するようになっており、周縁スロットからの取り出しに対し、抵抗するようになっている、磁気カード。
【発明の詳細な説明】
【技術分野】
【０００１】
本発明は、磁気カードやキーにより操作されるロック装置に関する。
【背景技術】
【０００２】
このような装置は、下記の特許文献に記載されている。本発明は、このようなロック装置の改良に関わる。例えば、特許文献４に記載のように、カードの孔は、枢着ピンが挿入されている。このピンはカードに挿入されるが、本発明のように、ハウジングが回転するものではない。
【特許文献１】ヨーロッパ特許第０２４１３２３号
【特許文献２】ヨーロッパ特許第００２４２４２号
【特許文献３】ヨーロッパ特許第０４９８４６５号
【特許文献４】米国特許第３９９５４６０号
【０００３】
従来のロック装置においては、ロック装置に、暗号化された磁気カード又はキーを挿入し、ロック状態を解除し、ドア、ゲート若しくは他の障壁を開けるものである。特に、カードは、ロック解除の間に、ロック装置に保持され、ロックが解除された時に、取り出さなくてはならない。外部に開口するスロットが、回転するかまたは固定された本体の周縁に、カード用に設けられている。本体は、ドアキャッチ解除ノブ若しくはハンドルの全部若しくは一部であり、磁気カードが滑らかに挿入されるものでなくてはならない。
【０００４】
ロック装置は、約３６０度自由に回転するとよい。カードスロットは、次のカード挿入のためには不都合な回転位置で、休止する場合がある。ゼロ位置ないし静止開始位置は即座に調整できない場合もある。
【発明の開示】
【発明が解決しようとする課題】
【０００５】
スロットの位置は、カード挿入に最適であり、容易に目視しうるのは、最上部である。しかし、ロック装置が、ビルの外壁や、屋外のゲートに設置される場合には、最上部のスロットは、ロック装置の内部を雨、水滴、ごみやほこりに曝すので、側部や底部にスロットを設ける方がよい。
【０００６】
いくつかの特許出願においては、磁気カードは、ロック解除とロック作動の間に、ロック装置に保持される。ロック本体を回転する間には、カードをその位置に保持しておくことは必要でなく、カードをスロットから引き出すことにより、取り出し可能である。しかし、ロック装置がロック解除状態のままで、カードは取り出しておくべきではない。ビルの管理上、認証されたカードのユーザーが、ドアをロック解除し、ドアがロックが解除状態のままでカードを取り除き、無人のドアをロック解除状態にするのを防ぐことが望ましい場合がある。このような手段は、従来のロック装置には備えられていない。
【０００７】
本発明の目的は、このような問題の両方を解決することにある。
【課題を解決するための手段】
【０００８】
本発明によれば、磁気カード作動ロック装置であって、周縁スロットを有するカバーを有するロックハウジング備え、この周縁スロットに、ロック装置のロックを作動したり、解除するために、暗号化された磁気カードを挿入するようになっており、前記カバーと、ロック用の主要な部品を、空回り位置とロック解除位置との間で、中心軸の回りに、障害なく回転するように取り付けられており、また、前記カバーを、重力の作用により、空回り位置の方向へ押圧するべく、前記カバーとともに回転し、前記軸から半径方向に離隔した錘を備える、磁気カードによるロック装置が提供される。
【０００９】
錘の位置を変えることにより、スロットを、上、下、左右若しくは他のどんな位置にも向くようにするとよい。
【００１０】
カバーとともに回転するように取り付けられ、かつ錘にも取り付けられている取付板を備えているとよい。
【００１１】
錘が、取付板に取り外し可能に取り付けられているとよい。
【００１２】
取付板が複数の取付手段を有し、取付板をカードスロットに対し、異なる半径方向の位置に取り付け、それにより、それぞれ静止開始位置を変えるようにするとよい。
【００１３】
ロックが解除される際には必ず、スロットにカードを保持するカードロック機構を備え、このカードロック機構が、スロットに挿入されるカードの方向へ、ロック装置が解除されるにつれ、軸方向に動くロックアクチュエータを備え、ロック装置が解除される間、カードをスロットに保持するとよい。
【００１４】
１実施例においては、カードロック機構は、長手方向の通路を有する固定された本体を有し、この長手方向の通路は、中心軸に平行に延び、この通路に、固定されたピンが、滑動しうるロックアクチュエータの回りの周縁螺旋溝に延び、周縁スロット内に、正しくコード化された磁気カードを有するカバーの回転により、固定された本体内で滑動しうるロックアクチュエータが回転するにつれ、滑動しうるロックアクチュエータを軸方向に動か
【００１５】
別の実施例においては、カードロック機構が固定された本体を備え、この本体が、スリーブが配置された螺旋溝を有する長手方向の通路を備え、カードロックピンが、Ｌ字形状であり、周縁螺旋溝内を直角に延びる尖端部を備え、周縁スロット内に挿入された正確にコード化された磁気カードを有するカバーの回転により、テイルピース・アクチュエータが固定された本体内を回転するにつれ、カードロックピンを軸方向に動かすようになっている。
【００１６】
この実施例において、カードロックピンはアクチュエータ内を通過し、このアクチュエータは、固定された本体の通路に受容されている。アクチュエータは、本体内に長手方向に保持され、その中で回転するようになっている。
【００１７】
本体の長手方向の通路に設けられ、テイルピース・アクチュエータと係合するテイルピース・ドライバを備えているとよい。
【００１８】
テイルピース・アクチュエータとテイルピース・ドライバの間に、自由に動く相互作用があるとよい。
【００１９】
本体の長手方向の通路内に固定されたスリーブを備えているとよい。このスリーブは、壁面に切削されたスロットの形状の螺旋溝を有しているとよい。
【００２０】
本発明によれば、磁気カードによるロック装置であって、周縁スロットを有する回転自在カバーを備え、このスロットに、磁気カードを挿入して、ロック装置をロックしたり、ロック解除したりするようになっており、カバーとロックコアが、静止開始位置とロック解除位置との間で、中心軸回りに回転するように取り付けられ、更に、ロック装置は、ロック装置がロック解除される際には、周縁スロットに磁気カードを保持するカードロック機構を備え、このカードロック機構は、カードロックピンを備え、カードロックピンは、ロック装置がロック解除されるにつれ、周縁スロットに挿入された磁気カードに向かって軸方向に動き、ロック装置がロック解除されている間、周縁スロットに磁気カードを保持するようになっているロック装置が提供される。
【００２１】
ロック装置に使用され、少なくとも１つの突起を備え、スロットに挿入されるようになっており、スロットからの取り出しの際には抵抗を有する磁気カードが開示されている。ハウジングが回転を開始する時に、カードがスロットに十分に保持されない場合、ピンが孔以外の位置でカードに接触し、また、カードロックピンがカードの孔に入るまで、十分に挿入されたカードがその位置に留まることが好ましい。さもなければ、ピンが孔以外の位置でカードと接触し、圧力により、カードやその他の部分が損傷を受けるであろう。
【発明を実施するための最良の形態】
【００２２】
図１には、本発明によるロック装置の、種々の部品が示されており簡単に説明する。このロック装置は、磁気カード51が挿入される周縁スロット11を有するカバー10を備えている。ロックのカバー10並びに主要な部品、即ち、ロックプレート12及び磁気ピン・タンブラ支持ロックコア13が、ロックとベアリングブッシュ29の共通中心軸の周りに、取付板15とともに回転するように、無摩擦ベアリング14に取り付けられている。
【００２３】
ロックを操作するには、正確に暗号化された、磁気的情報を含む磁気カード51がスロット11に挿入され、カバー10と内部機構が、周知の方法で、９０度以上の角度に対応する円弧で回転する。同時に、テイルピース・アクチュエータ20を係合し、回転させる。下記のような方法で機能する。
【００２４】
自由に回転するカバー10の空回り位置は、２個の半円形錘17により決定される。これらの錘17は、ねじ18をねじ孔18'にねじ込むことにより、取付板1５に固定される。図１と図２Ｃに示すように、カバー10の静止開始位置は、スロット11が最上部にあるように配置される。しかし、取付板15は、図２に示すように、４個のねじ孔19'を有することにより、４つの回転位置のいずれかに固定されるようになっていてもよい。
【００２５】
そこで、周縁スロット11は、錘の重力により、位置を変えることが可能である。即ち、ロックハウジング36に対する錘の位置により、周縁スロット11は、左側（図２Ａ）、右側(図２Ｂ)、下側（図２Ｄ）となるように、４つの空回り位置が選択可能である。どの場合においても、ロック装置は、周縁スロット11に磁気カードを挿入することにより、ロック装置を開錠し、カバー10を静止開始位置から回転させるという前述のような方法で行われる。カードが取り出される時は、錘により、周縁スロット１１は静止開始位置になる。異なる静止開始位置が必要な場合は、いつでも錘の位置を変更することが、簡単な操作であることが望ましい。
【００２６】
図１に示すように、本発明のロック装置は、カード・ロック挿入機構を備えており、この挿入機構は、本体16と、テイルピース・アクチュエータ20と、テイルピース・ドライバ21を備えている。このテイルピース・ドライバ21は、連結された連結ロックセット（図示せず）を操作し、ラッチやボルトを伸縮し、ドアを開閉するようになっている。
【００２７】
テイルピース・アクチュエータ20とテイルピース・ドライバ21は、テイルピース・ドライバ21の前面から延びる平面フィンガ23を、テイルピース・アクチュエータ20の後面に設けたスロット22に嵌めることにより、機械的に連結される。スロット22とフィンガ23との機械的連結は、テイルピース・アクチュエータ20がテイルピース・ドライバ21に対して、限度ある距離で、軸方向に遠ざかったり、近付いたりする時でさえ、効果的に維持される。テイルピース・アクチュエータ20とテイルピース・ドライバ21は、本体16の孔33に収容される。
【００２８】
アクチュエータ20は、外側螺旋溝24を有し、この外側螺旋溝24に、本体16を貫通する固定ピン25の端部が係合する。このピン25は、孔33内で、螺旋溝24と当接する。コア13を押し付け、挿入された磁気カードとともに、カバー10を回すと、コア13の後面のドライバピン31が、ディスク30のノッチ37と係合し、次に、ディスク30が、このディスク30の軸方向のスロット挿入されたアクチュエータ20の平坦突起38を回転する。そこで、螺旋溝24に挿入された固定ピン25により、アクチュエータ20を回転させ、本体16を介して、カードスロット11の方へ、軸方向に動かせる。
【００２９】
アクチュエータ20の前部のポイント・フィンガ26は、挿入されたカード51の孔50を貫通し、ロック状態が解除されるにつれ、カードがスロット11から引き出されないようにする。上記と反対に、再び、ロック状態になるまで、カードを取り出すことは出来ない。即ち、カードとスロットは、挿入したカード51の中心孔50からフィンガ26を引き出すにつれ、反対方向に回転する。次に、溝24と固定ピン25との相対的な回転により、アクチュエータ20は、テイルピース・ドライバ21の方向へ動かされる。
【００３０】
テイルピース・アクチュエータ20のスロット22は、テイルピース・ドライバ21の平らなフィンガ23に対し、軸方向に可動である。テイルピース32の端部は、ドライバ21の後面のスロット49に受容される。テイルピース32は、多数の弱い横線(図示せず)を有しているとよい。それにより、ロック・インストーラにより、必要な長さで、嵌り、種々の厚さのドアに適合するようになっている。テイルピース・ドライバ2１の回転とともに、テイルピース32が回転し、更に結合されたロック(図示せず)を作動させる。
【００３１】
本体16には、バネ34とプランジャ35が設けられ、プランジャ35の端部がテイルピース・ドライバ21の平面部を押圧することにより、テイルピース32の不適切な回転を防止するようになっている。この特徴は、テイルピース32が万一自由に回転した場合に、連結ロック機構の不適切なロック作動/ロック解除を防止する。
【００３２】
ロック装置を解除状態にすることが望ましい場合には、暗号化されたロック解除カード５２が使用される。このようなロック解除カードは、開口スロット５３が形成され、開口スロット５３は、ロック解除カードの下端から、ロック解除カードの中心孔５０を含む領域まで延び、延長されたフィンガ２６を夾み込むようになっている。このようなロック解除カードは、ロックを解除し、その後ロック解除位置で取り出すことができる。なぜならば、開口スロット５３により、ロック装置が解除状態のままで、フィンガ２６が延びた状態のスロット１１からカードを取り出すことが可能となるからである。普通のカードは、延びているフィンガ２６によりスロット１１に完全に挿入できないので、ロック装置が解除状態にされていた場合は、ロック装置を作動させるために、ロック解除カードが使用されなければならない。この場合、カバー１０が最初に、カードが取り出されたときのカードスロットの位置まで回転されなければならず、その後ロック解除カードが挿入可能となり、機構が作用し、ロックハウジング３６が、カードのスロット５３からフィンガ２６が引き込まれたロック状態まで、回転する。その後、ロック解除カードが取り出される。
【００３３】
上記のロック解除カードと、ロック解除カードの第２の実施例が、本出願人による特許文献２に示されている。フィンガ26がカードスロット11を超えて延びている時に、２分割型カード54を、ロック解除されたロック装置に挿入し、２個の分割片をスロット11で一体にする。２個の分割片をフィンガ26の回りで結合すると、ロック装置が作動し、ハウジング36を回転させ、フィンガ26がスロット11から引っ込んだロック位置まで戻る。次に、カードは、一体の状態で取り出せる。
【００３４】
図２Ａ〜図２Ｄには、部材10,11のような、シリンダコード・モジュール36が、重量のある取付板15の取り付け位置を選択することにより、選定された位置に移動させうる。各図における矢印Ａは、シリンダコード・モジュールに磁気カードを挿入する方向を示している。即ち、カード挿入スロット11は、上下、左右、その間のいずれかの角度を向いている。シリンダコード・モジュールの２個の孔40には、ねじ19が挿入されることにより、取付板15が取り付けられるようになっている。取付板15に取り付けられた錘17は、重力により、所望の静止開始位置に周縁スロット11を変位させる。このような位置のうちの４つの位置が図示されている。
【００３５】
図３において、図２A〜2Dのロック装置に類似するロック装置は、前述のように、回動カバー10とスロット11を有する、筒状ロックドア操作ハンドル27に取り付けられている。カバーは、前述のように、錘により、位置を変えられる。
【００３６】
図３の装置の重要な特徴は、ロックスピンドルの種々の寸法に合わせるべく作られ、中心に設けたロックスピンドル・アダプタ28である。これにより、同一のハンドル27を、異なるロック装置に使用したり、既にロック装置に装着したハンドルを、磁気カードにより操作されるロック装置のハンドルと交換したりすることが可能である。これは、錘17を選択的に位置決めすることにより、スロット11を所定の空回り位置に設定することが出来る点で重要である。そこで、ハンドルをドアの左側若しくは右側、又はドアの内側若しくは外側に設けたロック装置を提供出来る。あらゆる位置において、錘を付けた取付板15の位置を決めることにより、スロット11を所望の位置に自動的に設定することが可能である。スロット11が上下のいずれかの位置である場合に、ハンドルが左右のいずれかを示している時に、重力により、スロットを所望の位置のままであるので、左手や右手による取り付けに、どんな変更も必要としない。スロットをいずれかの側に設定するには、錘を取り付けた取付板の再配置が必要である。このようなハンドルロック装置は、前述のようなカードロック装置と類似する構成を含んでいる。
【００３７】
図４と図５には、カードロック装置の別の実施例が示されている。この実施例では、ロック機構がロック解除を開始しないうちに、カードロックピン45の先端56が、挿入されたカード51の孔50に入る。これは、ハウジング36の回転開始時に、カードの孔においてカードロックピンを動かすのみで、なされる。その他の部品は、ロック装置の本体に設けられている。
【００３８】
カードロックピン45は、Ｌ字形で、短い後端部が直角に曲がり、半径方向に延びている。カードロックピン45の長い部分は、アクチュエータ47内を延び、このアクチュエータ47は、スリーブ48内に回転可能に設けられている。図１の実施例では、テイルピース・アクチュエータの表面に、螺旋溝を形成しているが、この実施例では、スリーブ48の壁面に螺旋溝が設けられている。テイルピース・アクチュエータ47は、スリーブ48内を延びている。スリーブ48の螺旋溝の弧は、内周面の半分のみに形成され、より効果的なカードロックピン装置を提供する。
【００３９】
図１の実施例と同様に、テイルピース・ドライバ43の溝39に、バネ34とプランジャ39が設けられ、適切な位置に固定するとともに、回転の開始点であるロック作動位置にテイルピース・アクチュエータを動かす平坦面を形成する。ねじ42が本体16を半径方向に延び、孔42'を貫通することにより、スリーブ48を固定する。
【００４０】
テイルピース・アクチュエータ47は、一端に孔を備え、側部に別の孔（図示せず）を備え、バネ46と、カードロックピン45の、９０度以上に曲がった短い端部が挿入されるようになっている。テイルピース・アクチュエータ47は、長手方向に孔を備え、その中をカードロックピン45の長手方向部分が延び、先端56が、磁気カード51の孔50を貫通するようになっている。カードロックピン45が前方に動いて、先端がテイルピース・アクチュエータ４７の前端を超えると、カードロックピン45の直角曲がり部がバネ46を押圧する。そこで、バネにより、ロック装置がロック作動状態に戻った時に、作動開始位置まで、カードロックピン45を戻らせる。
【００４１】
テイルピース・ドライバ43は、前面から延びる中心逸脱フィンガ44を有している。図５に示すように、テイルピース・アクチュエータ47の後端には砂時計型スロットが設けられ、その中に、フィンガ44が延びるようになっている。カードロックピン45の直角に曲がった端部は、このスロットに挿入されるようになっている。図５のような構成により、ロック状態を解除するテイルピース・ドライバ43の回転を始めるために、テイルピース・アクチュエータ47は、フィンガ44と接触する前に回転することが可能となる。これは、「緩慢動作のカム」作動と呼ばれる。これにより、カードロックピン45の先端56が、カード51の孔50に挿入することが可能となり、下記に述べるように、カードスロット11からの除去を防止する。
【００４２】
磁気ピン・タンブラ支持ロックコア13のドライバピンは、通常ドライバディスク30の下部中心部に設けられる。シリンダコード・モジュール３６に正しいカードが挿入されると、モジュールの磁気ピン・タンブラ支持ロックコア13を下方に動かせる。コアの後部のドライバピン31は、ドライバディスク30の開口部37まで、下降する。シリンダコード・モジュール36とコアの続いての回転は、ドライバピン31を回転し、更にドライバディスク30を回転する。
【００４３】
ドライバディスク30の角形孔は、テイルピース・アクチュエータ47の角形部38を受容し、同時に回転する。テイルピース・アクチュエータ47は、曲がったカードロックピン45を支持しているので、回転は、ピンの先端55をスリーブ48の螺旋溝に乗し上げ、ピンをカードスロットの前方に動かし、孔50を介して、カード51を突き通し、その除去を防止する。止め輪58により、ディスク30が磁石ピン支持コア13の後面と軸方向に接触し、外れないようにしている。
【００４４】
カードモジュールを反転すると、カードの孔50から、カードロックピン45を引っ込め、ロック装置のロック状態から十分に引き抜いて、カードをカードモジュールスロットから除去することが可能となる。
【００４５】
カード５１は、回転する時に、ハウジング３６に保持されるが、ハウジングが最初に回転する時は、挿入されたカード上の圧力を開放できることが好ましい。これを達成するために、カード51は、表面に凹み57を有しており、カードを挿入する最初の圧力が、凹みをカバー10のスロット11に十分に抑えこみ、ハウジングが回転した時に、カードを十分に挿入された位置に保持する。凹みは、カードスロットにおいて、カバーの厚さを超えて押圧され、カバーの内面端を把持し、カードの除去に対し抵抗する。
【００４６】
本発明の特許請求の範囲を超えない限り、当業者により、幾多の修正及び変更が許されるものである。
【図面の簡単な説明】
【００４７】
【図１】本発明による、磁気カードによるロック装置の分解斜視図。
【図２Ａ】左手ドアにおいて、側方向のカードスロットの位置に対する錘の構成を示す、ロック装置の部分の分解斜視図。
【図２Ｂ】右手ドアにおいて、側方向のカードスロットの位置に対する錘の構成を示す、ロック装置の部分分解斜視図。
【図２Ｃ】右手ドアにおいて、上方向のカードスロットの位置に対する錘の構成を示す、ロック装置の部分分解斜視図。
【図２Ｄ】右手ドアにおいて、下方向のカードスロットの位置に対する錘の構成を示す、ロック装置の部分分解斜視図。
【図３】類似の磁気カードスロット・ロック装置を備えるドアハンドルの断面図。
【図４】磁気カードのよるロック装置の別の実施例の分解斜視図。
【図５】図４のロック装置のテイルピース係合部を示す図。
【符号の説明】
【００４８】
10  カバー
11  周縁スロット
12  ロックプレート
13  ロックコア
14  無摩擦ベアリング
15  取付板
16  本体
17  錘
18  ねじ
19  ねじ孔
20  アクチュエータ
21  テイルピース・ドライバ
22  スロット
23  平面フィンガ
24  溝
25  固定ピン
26  フィンガ
27  ハンドル
28  ロックスピンドル・アダプタ
29  ベアリングブッシュ
30  ディスク
31  ドライバピン
32  テイルピース
33  孔
34  バネ
35  プランジャ
36  ロックハウジング
37  ノッチ
38  平坦突起
39  溝
42  孔
43  テイルピース・ドライバ
44  フィンガ
45  カードロックピン
46  バネ
47  テイルピース・アクチュエータ
48  スリーブ
50  孔
51  カード
55  先端
56  先端
58  止め輪
【図１】
0004716995.tif 000002
【図２Ａ】
0004716995.tif 000003
【図２Ｂ】
0004716995.tif 000004
【図２Ｃ】
0004716995.tif 000005
【図２Ｄ】
0004716995.tif 000006
【図３】
0004716995.tif 000007
【図４】
0004716995.tif 000008